(57)【要約】【課題】  小型の電子機器設備に使用できる小型のリサイクル電池を提供する。【解決手段】  陽極プレートと陰極プレートと吸水部材と、これらを覆うカバーとを備え、該陽極プレートは２つの表面と、該２つの表面に露出される少なくとも１つの陽極金属部と、該陽極金属部に貼設される活性炭と、該陽極金属部に連接されることにより、連接部を形成する陽極ワイヤと、前記連接部を被装する絶縁部材とを有し、該陰極プレートは陰極金属部となる基板と、該陰極金属部となる基板に連接されることにより、連接部を形成する陰極ワイヤと、前記連接部を被装する絶縁部材とを有し、前記吸水部材は前記陽極プレートと陰極プレートとの間に挟持され、該カバーは扁平状を呈し、前記陽極プレートと陰極プレートと前記吸水部材とを収容すると共に、少なくとも１つの水分供給用の供給孔が設けられた構成とした。【選択図】        図１
2008034255.tif 000002
【特許請求の範囲】
【請求項１】
陽極プレート１０と陰極プレート２０と吸水部材３０とこれらを覆うカバー４０とを備え、前記陽極プレート１０は２つの表面と、該２つの表面に露出される少なくとも１つの陽極金属部１１と、前記陽極金属部１１に貼設される活性炭１２と、前記陽極金属部１１に連接されることにより、連接部を形成する陽極ワイヤ１３と、前記連接部を被装する絶縁部材１４とを有し、該陰極プレート２０は陰極金属部となる基板２３と、該陰極金属部となる基板２３に連接されることにより、連接部を形成する陰極ワイヤ２１と、前記連接部を被装する絶縁部材２２とを有し、該吸水部材３０は前記陽極プレート１０と陰極プレート２０との間に挟持され、前記カバー４０は扁平状を呈し、前記陽極プレート１０と陰極プレート２０と前記吸水部材３０とを収容すると共に、少なくとも１つの水分供給用の供給孔４１が設けられることを特徴とする小型のリサイクル電池。
【請求項２】
前記カバーは、該カバーの内部と外部を連結する少なくとも１つの供給パイプ５０を備え、該供給パイプ５０は２つの管口が形成される外管５１と、該外管５１に挿設され、両端が夫々の管口から突出する吸収芯線５２とを有することを特徴とする請求項１に記載の小型のリサイクル電池。
【請求項３】
前記陽極プレート７０は、２つの表面を有する基板７１を備え、前記基板７１の表，裏面には陽極金属部が貼設されることを特徴とする請求項１に記載の小型のリサイクル電池。
【発明の詳細な説明】
【技術分野】
【０００１】
本発明はリサイクル電池であり、特に扁平状のカバーを有する小型のリサイクル電池に関するものである。
【背景技術】
【０００２】
主要な一般的には電子機器設備の電源供給手段として乾電池が使用されるが、電池使用後には、使用済みの乾電池が廃棄され、水銀など環境を害する材料が漏れ公害となる恐れがある。
【０００３】
故に、再利用できるリサイクル電池が開発されている。例えば、台湾実用新案登録第M275542号「リサイクル電池」特許文献１が案出されている。この発明は、前管口と後管口を有する金属管と、陽極孔を有し、更に前記前管口を塞ぐ前プラグと、供給孔を備え、前記後管口を塞ぐ後プラグと、前記金属管の内部に吸水部材と、前記前プラグと前記吸水部材の間に充填される活性炭とが設けられ、前記前プラグの陽極孔から前記活性炭に挿入され、前記陽極孔から突出するヘッドを有する陽極棒を備えたリサイクル電池である。
そして、このリサイクル電池は、前記後プラグの供給孔から前記吸水部材に水を供給することにより、水が吸水部材から活性炭に滲みこみ、前記リサイクル電池を活性化させ、再利用できるようになっている。
【特許文献１】台湾実用新案登録第M275542号「リサイクル電池」
【発明の開示】
【発明が解決しようとする課題】
【０００４】
しかしながら、上記の従来の「リサイクル電池」は、体積が大きく、小型の電子機器設備に使用し難い問題点を有する。
そこで、出願されたのが本発明であって、小型の電子機器設備に使用できる小型のリサイクル電池を提供することを目的としている。
【課題を解決するための手段】
【０００５】
本願の請求項１の発明は、陽極プレート１０と陰極プレート２０と吸水部材３０とこれらを覆うカバー４０とを備え、前記陽極プレート１０は２つの表面と、該２つの表面に露出される少なくとも１つの陽極金属部１１と、前記陽極金属部１１に貼設される活性炭１２と、前記陽極金属部１１に連接されることにより、連接部を形成する陽極ワイヤ１３と、前記連接部を被装する絶縁部材１４とを有し、該陰極プレート２０は陰極金属部となる基板２３と、該陰極金属部となる基板２３に連接されることにより、連接部を形成する陰極ワイヤ２１と、前記連接部を被装する絶縁部材２２とを有し、該吸水部材３０は前記陽極プレート１０と陰極プレート２０との間に挟持され、前記カバー４０は扁平状を呈し、前記陽極プレート１０と陰極プレート２０と前記吸水部材３０とを収容すると共に、少なくとも１つの水分供給用の供給孔４１が設けられることを特徴とする。
【０００６】
請求項２の発明は、請求項１に記載の小型のリサイクル電池において、前記カバーは、該カバーの内部と外部を連結する少なくとも１つの供給パイプ５０を備え、該供給パイプ５０は２つの管口が形成される外管５１と、該外管５１に挿設され、両端が夫々の管口から突出する吸収芯線５２とを有することを特徴とする。
【０００７】
請求項３の発明は、請求項１に記載の小型のリサイクル電池において、前記陽極プレート７０は、２つの表面を有する基板７１を備え、前記基板７１の表，裏面には陽極金属部が貼設されることを特徴とする。
【発明の効果】
【０００８】
本発明の小型のリサイクル電池は、上記の課題を解決するものであり、薄片化されたリサイクル電池の部材を扁平状のカバーに収納することにより、リサイクル電池の体積を大幅に縮小し、小型の電子機器設備に使用できる。
前記カバー４０は扁平状を呈し、前記陽極プレート１０と陰極プレート２０と前記吸水部材３０とを収容すると共に、少なくとも１つの水分供給用の供給孔４１が設けられることで、小型のリサイクル電池が使い尽くされた時点で、前記供給孔４１から、該吸水部材３０に水分が吸収されるように、前記カバー４０の内部に水を容易に供給することにより、水が吸水部材３０から活性炭１２に滲みこみ、小型のリサイクル電池を活性化させることができる。
【発明を実施するための最良の形態】
【０００９】
以下、添付図面を参照して本発明の好適な実施の形態を詳細に説明する。
【００１０】
図１は本発明に係る小型のリサイクル電池の第１実施例を示す部分断面図であり、図２は本発明に係る小型のリサイクル電池の第１実施例を示す全体斜視図であり、図３は本発明に係る小型のリサイクル電池における陽極プレートの第１実施例の断面図であり、図４は本発明に係る小型のリサイクル電池における陰極プレートの側面図であり、図５は本発明に係る小型のリサイクル電池の第１実施例の使用状態を示す平面図である。図６は本発明に係る小型のリサイクル電池の第２実施例における陽極プレートを示す断面図であり、図７は本発明に係る小型のリサイクル電池の第３実施例を示す部分断面図であり、図８は本発明に係る小型のリサイクル電池の第３実施例を示す全体斜視図であり、図９は本発明に係る小型のリサイクル電池の第３実施例の使用状態を示す側面図である。
【実施例１】
【００１１】
本発明に係る小型のリサイクル電池の第１実施例について、以下に説明する。
図１及び図２において、本発明の小型のリサイクル電池は、長方形の陽極プレート１０と長方形の陰極プレート２０と綿からなる吸水部材３０と長方形のカバー４０とを備え、更に図３に示すように、前記陽極プレート１０は、２つの表面を有し、該２つの表面に露出される少なくとも１つの陽極金属部１１を備え、該陽極金属部１１には活性炭１２が貼設されている。該陽極金属部１１には、陽極ワイヤ１３が連接される連接部を形成してなり、前記連接部は絶縁部材１４によって被装されている。
【００１２】
また、図４に示すように、前記陰極プレート２０は陰極金属部となる基板２３と、該陰極金属部となる基板２３に連接されることにより、連接部を形成する陰極ワイヤ２１と、前記連接部を被装する絶縁部材２２とを有している。
【００１３】
前記吸水部材３０は前記陽極プレート１０と陰極プレート２０との間に挟持される。前記カバー４０は扁平状を呈し、前記陽極プレート１０と陰極プレート２０と吸水部材３０とを収容すると共に、前記カバー４０の中央部には内部に貫通する少なくとも１つの水分供給用の供給孔４１が設けられている。
【００１４】
前記陽極金属部における陽極金属は、銅Cu、銀Ag、金Au、ニッケルNi、或いは前記金属の合金の中より選択されて使用される。
【００１５】
前記陰極金属部となる基板は、マグネシウムMg、亜鉛Zn、或いは前記金属の合金からなる板材の中より選択されて使用される。
【００１６】
本発明に係る小型のリサイクル電池の第１実施例を電卓など小型の電子機器設備に使用する時は、図５に示すように、カバー４０の供給孔４１を露出させる。該小型のリサイクル電池が使い尽くされた時点で、該供給孔４１から、該吸水部材３０に水分が吸収されるように、前記カバー４０の内部に水を供給することにより、水が吸水部材３０から活性炭１２に滲みこみ、該小型のリサイクル電池を活性化させ、再利用できるようにする。
【実施例２】
【００１７】
本発明に係る小型のリサイクル電池の第２実施例における陽極プレート７０を図６に示す。
前記陽極プレート７０は、陽極金属部７５と活性炭７２と陽極ワイヤ７３と絶縁部材７４とを備えると共に、さらに２つの表面を有する基板７１を備え、前記陽極金属部７５が該基板７１の２つの表面にそれぞれ貼設されると共に、該基板７１と前記陽極金属部７５を貫通する連通孔７６が穿設され、前記活性炭７２が前記陽極金属部７５に貼設されている。前記陽極ワイヤ７３の端部が前記連通孔７６に挿入されて、前記陽極金属部７５に連接されることにより、連接部を形成し、前記絶縁部材７４によって前記連接部が被装されるようになっているものである。
【００１８】
前記陽極金属部７５の陽極金属は、銅Cu、銀Ag、金Au、ニッケルNi、或いは前記金属の合金の中より選択されて使用される。
【実施例３】
【００１９】
図７と図８に示すように、本発明に係る小型のリサイクル電池の第３実施例は、前記第１実施例と殆ど等しく、異なる部分は、前記カバー４０ａの内部と外部を連結する貫通穴を有する１本の供給パイプ５０を備えた点にある。
前記供給パイプ５０は、２つの管口が形成される外管５１と、該外管５１に挿設され、両端が夫々の管口から突出する長さの吸収芯線５２とを有しており、前記カバー４０aの側面部に形成された供給孔４１aに配設される。
【００２０】
図９に示すように、本発明に係る小型のリサイクル電池の第３実施例を、水を使用した装飾部材６１を備える時計６０など、小型の電子機器設備に使用する時は、該小型のリサイクル電池が該時計６０の内部に設置され、前記供給パイプ５０で該カバー４０aの内部と該装飾部材６１とを連結し、該水の含む装飾部材６１の水を前記吸収芯線５２を介して該カバー４０aの内部に提供でき、水が吸水部材３０から活性炭１２に滲みこみ、該小型のリサイクル電池を活性化させ、再利用できるようにすることができる。
【産業上の利用可能性】
【００２１】
本発明は上記の構成を有し、リサイクル電池の体積を大幅に縮小し、小型の電子機器設備に使用できるので、リサイクル電池の対応できる分野を広げることができると共に、使用上の利便性を向上させることができる。
【図面の簡単な説明】
【００２２】
【図１】本発明に係る小型のリサイクル電池の第１実施例を示す部分断面図である。
【図２】本発明に係る小型のリサイクル電池の第１実施例を示す全体斜視図である。
【図３】本発明に係る小型のリサイクル電池における陽極プレートの第１実施例の断面図である。
【図４】本発明に係る小型のリサイクル電池における陰極プレートの第１実施例の側面図である。
【図５】本発明に係る小型のリサイクル電池の第１実施例の使用状態を示す平面図である。
【図６】本発明に係る小型のリサイクル電池の第２実施例における陽極プレートを示す断面図である。
【図７】本発明に係る小型のリサイクル電池の第３実施例を示す部分断面図である。
【図８】本発明に係る小型のリサイクル電池の第３実施例を示す全体斜視図である。
【図９】本発明に係る小型のリサイクル電池の第３実施例の使用状態を示す側面図である。
【符号の説明】
【００２３】
１０ 陽極プレート
１１ 陽極金属部
１２ 活性炭
１３ 陽極ワイヤ
１４ 絶縁部材
２０ 陰極プレート
２１ 陰極ワイヤ
２２ 絶縁部材
２３ 基板
３０ 吸水部材
４０ カバー
４０aカバー
４１ 供給孔
４１a供給孔
５０ 供給パイプ
５１ 外管
５２ 吸収芯線
６０ 時計
６１ 装飾部材
７０ 陽極プレート
７１ 基板
７２ 活性炭
７３ 陽極ワイヤ
７４ 絶縁部材
７５ 陽極金属部
７６ 連通孔
【図１】
2008034255.tif 000003
【図２】
2008034255.tif 000004
【図３】
2008034255.tif 000005
【図４】
2008034255.tif 000006
【図５】
2008034255.tif 000007
【図６】
2008034255.tif 000008
【図７】
2008034255.tif 000009
【図８】
2008034255.tif 000010
【図９】
2008034255.tif 000011